(57)【要約】【課題】本体部に設けられた端子が露出しないよう構成された光照射型美容装置を提供する。【解決手段】本発明は、光源から発せられる光を生体表面に照射することで、この生体表面９の毛を育毛又は抑毛する光照射型美容装置である。第１の端子２５が設けられた本体部１１と、光源となる発光体４４及び当該発光体４４の前方に設けられたレンズ４８を含むユニットであると共に、前記第１の端子２５に接続される第２の端子４９を有し前記本体部に着脱自在に設けられた光照射ユニット４２と、この光照射ユニット４２が前記本体部２２から取り外されたときに前記第１の端子２５を覆う開閉シャッター２７とを備える。【選択図】図１
2013111390.tif 000002
【特許請求の範囲】
【請求項１】
光源から発せられる光を生体表面に照射することで、この生体表面の毛を抑毛する光照射型美容装置であって、
第１の端子が設けられた本体部と、
光源となる発光体及び当該発光体の前方に設けられたレンズを含むユニットであると共に、前記第１の端子に接続される第２の端子を有し前記本体部に着脱自在に設けられた光照射ユニットと、
この光照射ユニットが前記本体部から取り外されたときに前記第１の端子を覆う開閉シャッターと
を備えている
ことを特徴とする光照射型美容装置。
【請求項２】
前記本体部は、前記光照射ユニットが近接すると前記開閉シャッターを開放させるシャッター開放手段をさらに備えている
ことを特徴とする請求項１記載の光照射型美容装置。
【請求項３】
前記光照射ユニットに設けられ前記本体部側に突出する突出部と、
前記本体部に設けられ前記突出部が挿入される凹所と
をさらに備え、
前記シャッター開放手段は、前記凹所内に前記突出部が挿入されると前記開閉シャッターを開放させるものである
ことを特徴とする請求項２記載の光照射型美容装置。
【請求項４】
前記突出部が、前記光照射ユニットに設けられた前記第２の端子である
ことを特徴とする請求項３記載の光照射型美容装置。
【請求項５】
前記光照射ユニットが前記本体部から取り外されると前記開閉シャッターを閉じるシャッター閉塞機構部をさらに備える
ことを特徴とする請求項１乃至請求項４のいずれか一項に記載の光照射型美容装置。
【請求項６】
前記シャッター閉塞機構部は、前記開閉シャッターを常時閉塞側に付勢する弾性体を有し、これにより前記光照射ユニットを前記本体部から取り外すと前記開閉シャッターを閉じるものである
ことを特徴とする請求項５記載の光照射型美容装置。
【発明の詳細な説明】
【技術分野】
【０００１】
本発明は、光照射型美容装置に関する。
【背景技術】
【０００２】
従来、光源から発せられる光を生体表面に照射することで、この生体表面の毛の成長や再生を抑制する（以下、抑毛という）光照射型美容装置が知られている（例えば特許文献１参照）。
【０００３】
特許文献１記載の光照射型美容装置は、光源となる発光体と、この発光体の前方に設けられたレンズとを含む光照射ユニットを備えている。この光照射ユニットは、本体部に着脱自在に設けられている。光照射ユニットは、本体に電気的に接続するためのユニット側コネクタを有している。
【０００４】
本体部は、光照射ユニットのユニット側コネクタに電気的に接続される本体側コネクタを備えている。本体側コネクタは電源部に接続されている。本体部には、ユニット側コネクタと本体側コネクタとを介して、光照射ユニットが取り付けられる。
【先行技術文献】
【特許文献】
【０００５】
【特許文献１】特開２００２−３６０３３６号公報
【発明の概要】
【発明が解決しようとする課題】
【０００６】
ところで特許文献１記載の光照射型美容装置は、上述のように光照射ユニットが本体部に着脱自在に取り付けられており、光照射ユニットのみの交換が容易にできる。しかしながら光照射ユニットが本体部から取り外されると、本体部の本体側コネクタは、むき出しとなり露出した状態となる。この状態では、本体側コネクタに異物が入り込んでしまったり、ユーザーが本体側コネクタを不意に触れてしてしまったりすることがあるという問題があった。
【０００７】
本発明は、上記事情に鑑みてなされたものであり、その目的とするところは、本体部に設けられた端子が露出しないよう構成された光照射型美容装置を提供することにある。
【課題を解決するための手段】
【０００８】
本発明の光照射型美容装置は、光源から発せられる光を生体表面に照射することで、この生体表面の毛を抑毛する光照射型美容装置であって、第１の端子が設けられた本体部と、光源となる発光体及び当該発光体の前方に設けられたレンズを含むユニットであると共に、前記第１の端子に接続される第２の端子を有し前記本体部に着脱自在に設けられた光照射ユニットと、この光照射ユニットが前記本体部から取り外されたときに前記第１の端子を覆う開閉シャッターとを備えていることを特徴とする。
【０００９】
またこの光照射型美容装置において、前記本体部は、前記光照射ユニットが近接すると前記開閉シャッターを開放させるシャッター開放手段をさらに備えていることが好ましい。
【００１０】
またこの光照射型美容装置において、前記光照射ユニットに設けられ前記本体部側に突出する突出部と、前記本体部に設けられ前記突出部が挿入される凹所とをさらに備え、前記シャッター開放手段は、前記凹所内に前記突出部が挿入されると前記開閉シャッターを開放させるものであることが好ましい。
【００１１】
またこの光照射型美容装置において、前記突出部が、前記光照射ユニットに設けられた前記第２の端子であることが好ましい。
【００１２】
またこの光照射型美容装置において、前記光照射ユニットが前記本体部から取り外されると前記開閉シャッターを閉じるシャッター閉塞機構部をさらに備えることが好ましい。
【００１３】
またこの光照射型美容装置において、前記シャッター閉塞機構部は、前記開閉シャッターを常時閉塞側に付勢する弾性体を有し、これにより前記光照射ユニットを前記本体部から取り外すと前記開閉シャッターを閉じるものであることが好ましい。
【発明の効果】
【００１４】
本発明の光照射型美容装置によれば、本体部に設けられた端子が露出しないようにすることができる。
【図面の簡単な説明】
【００１５】
【図１】本実施形態の美容装置本体の分解斜視図である。
【図２】本実施形態の美容装置本体の除毛部を前進させた状態の側断面図である。
【図３】本実施形態の美容装置本体の除毛部を後退させた状態の一部を省略した側断面図である。
【図４】（ａ）は本実施形態の光照射型美容装置の平面図であり（ｂ）は側面図である。
【図５】（ａ）は本実施形態の美容装置本体の正面図であり（ｂ）は美容装置本体の側面図である。
【図６】本実施形態のヘッド部の分解斜視図である。
【図７】本実施形態のフレーム部を背面側から見た分解斜視図である。
【図８】図５（ｂ）におけるＡ−Ａ線断面図である。
【図９】本実施形態の光照射ユニット部の分解斜視図である。
【図１０】本実施形態の除毛部の詳細を示す要部側断面図である。
【図１１】本実施形態のヘッド部を取り外した状態の斜視図である。
【図１２】本実施形態の駆動装置や冷却装置の近傍を示す分解斜視図である。
【図１３】本実施形態の光照射型美容装置の使用状態を示す側面図である。
【発明を実施するための形態】
【００１６】
以下、本発明の実施形態について添付図面に基づいて説明する。なお、説明の便宜上、光照射部４からの光の光軸方向を上下方向（図２中矢印Ｃ）とし、特に生体表面９（図１３参照）側を上側とする。
【００１７】
本実施形態の光照射型美容装置は、人や動物等の生体の皮膚等（以下、生体表面９という）に生えた毛を除去した上で光照射することにより、生体表面９の毛の成長や再生を抑制する（以下、抑毛という）ものである。本実施形態の光照射型美容装置は、図４に示されるように、生体表面９に抑毛処理を施す美容装置本体１と、この美容装置本体１にケーブル７１を介して接続された電源装置７０とを備えている。
【００１８】
電源装置７０は、美容装置本体１に電力を供給し、また美容装置本体１の電気的な制御を行なう。電源装置７０は、コンデンサー等を含む蓄電装置と、美容装置本体１を制御する制御装置とを備えている。本実施形態の光照射型美容装置は、電源装置７０に蓄電装置と制御装置とが内蔵されているため、美容装置本体１には蓄電装置や制御装置が内蔵されていない。これにより美容装置本体１は、ユーザーが扱いやすいようコンパクトな大きさとなっている。
【００１９】
美容装置本体１は、図２に示されるように、生体表面９から生えた毛を除毛する除毛部３と、生体表面９に光照射を行なう光照射部４とを備えている。本実施形態の美容装置本体１は、把持部１３が設けられた本体部１１と、除毛部３及び光照射部４が収容されたヘッド部２３とを備えている。ヘッド部２３は本体部１１に着脱自在に取り付けられている。
【００２０】
美容装置本体１は、その外郭を形成するケーシング１０により主体が構成されている。ケーシング１０は、除毛部３と光照射部４とを内部に収容する。ケーシング１０は、本体部１１の外郭を形成する本体ケーシング２４と、ヘッド部２３の外郭を形成するフレーム部１２とから構成されている。
【００２１】
ケーシング１０は、図５に示されるように、下側程先細り形状となるよう構成されている。ケーシング１０は、側面視において側方に湾曲した半円弧状に形成されている。ケーシング１０には、除毛部３が径内側に配置され、光照射部４が径外側に配置される。本体ケーシング２４は、下端部に設けられた把持部１３を有している。把持部１３は、ユーザーが片手で把持可能な程度の外径にて構成されている。フレーム部１２は、本体部１１に対して着脱自在に設けられている。
【００２２】
フレーム部１２は、下方が開口した有蓋箱形状となっている。フレーム部１２は、図６に示されるように、光照射部４が取り付けられる光照射部装着部１４と、除毛部３が取り付けられる除毛部装着部１５とを備えている。
【００２３】
光照射部装着部１４は、光照射部４を装着するための部分である。光照射部装着部１４は、上下方向に貫通する平面視矩形状の取付開口１４１を有している。取付開口１４１は、正面視左右方向に長く形成されている。光照射部装着部１４は、遮光筒部４０を上下動自在に保持する。
【００２４】
光照射部装着部１４は、図６，７に示されるように、光照射部装着部１４と除毛部装着部１５との間に位置する仕切壁１６と、この仕切壁１６に対向する縦壁１７とを備えている。この仕切壁１６と縦壁１７とは、遮光筒部４０の上下移動をガイドする一対のガイド面１８を構成する。このガイド面１８は、遮光筒部４０に設けられたガイド突起４０４の移動を案内するガイド溝１８１を有している。このガイド溝１８１は上下方向に長く形成されている。また光照射部装着部１４は、取付開口１４１の内周縁に、遮光筒部４０に設けられた係合部４０５と係合する被係合部１９を有している。この被係合部１９は、遮光筒部４０を所定の位置から上方へと移動しないよう規制する。
【００２５】
仕切壁１６は、図７に示されるように、フレーム部１２の端面部２２から下方に向けて突設されている。仕切壁１６は、光照射部装着部１４の取付開口１４１の内周縁と面一となるよう設けられている。仕切壁１６は、光照射部４と除毛部３との間に位置しており、除毛部３によりカットされた毛屑が光照射部４側へと進入するのを阻止する。
【００２６】
除毛部装着部１５は、除毛部３を構成するトリマー刃３０を上下動自在に収容する。除毛部装着部１５は、図６に示されるように、上下方向に貫通する取付開口１５１を有している。除毛部装着部１５は、光照射部装着部１４に隣接配置されている。除毛部装着部１５の取付開口１５１は、細長いスリット形状となっている。除毛部装着部１５の取付開口１５１は、その長手方向が光照射部装着部１４の取付開口１４１の長手方向と略平行している。
【００２７】
フレーム部１２は、側面に除毛部３のレバー３１０（詳細は後述する）を装着するためのレバー装着部２０を有している。このレバー装着部２０は、レバー３１０の作動突起３１１を挿入するため内外に貫通した連通孔２１を有している。この連通孔２１は、上下方向に長い長孔により構成されている。レバー装着部２０には、レバー３１０が上下方向にスライド自在に取り付けられる。なお、除毛部３のレバー３１０については後述する。
【００２８】
フレーム部１２は、本体部１１に対して着脱自在に取り付けられる。フレーム部１２は、図８に示されるように、正面視における両側面にそれぞれ設けられた一対の係止部１４２を有している。この係止部１４２は、本体部１１に設けられた被係止部１１２に係脱自在に係合する。本体部１１の被係止部１１２は、外側方に向けて弾性的に付勢された解除部１１１に設けられている。解除部１１がユーザーにより内側に押圧されると、被係止部１１２は係止部１４２との係合状態を解除する。
【００２９】
除毛部３は、生体表面９から生えた毛を切断することで除毛する。本実施形態の除毛部３は、図２，３に示されるように、上下方向に前進後退自在なトリマー刃３０と、このトリマー刃３０を前進後退させる操作手段３１と、トリマー刃３０を駆動させる駆動装置３２とを備えている。
【００３０】
トリマー刃３０は、図６に示されるように、上下方向に直交する方向（正面視左右方向）に長い直線状に形成された櫛状の固定刃３００と、この固定刃３００に沿って配置された櫛状の可動刃３０１とを備えている。可動刃３０１は直線状に形成されている。トリマー刃３０は、固定刃３００と可動刃３０１とが重なるよう配置されており、可動刃３０１が生体表面９側に位置する。トリマー刃３０は、可動刃３０１を固定刃３００側に弾性的に付勢するバネ（図示せず）を有している。またトリマー刃３０は、この可動刃３０１を上方から覆うようにして、固定刃３００の長手方向の全長に亘って設けられたトリマーカバー３０３を有している。バネは、一端がトリマーカバー３０３に固定され、且つ他端が可動刃３０１に当接し、これにより可動刃３０１を固定刃３００側に付勢する。
【００３１】
トリマー刃３０は、固定刃３００と可動刃３０１とトリマーカバー３０３とを支持固定するトリマー基台３０４を備えている。このトリマー基台３０４は、フレーム部１２の側面に沿って上下に長く形成されている。トリマー基台３０４は、レバー３１０から突設された作動突起３１１に連結固定される連結部３０５と、トリマー刃３０の長手方向の略中央に設けられて可動刃３０１を固定刃３００に沿って往復移動させる駆動片３０６とを備えている。
【００３２】
本実施形態の連結部３０５は、嵌合孔３０７を有している。また駆動片３０６は、トリマー刃３０の長手方向と平行な方向に揺動するよう構成されており、揺動することで可動刃３０１を長手方向に往復動させる。本実施形態の駆動片３０６は、図１０に示されるような下方に開口した二股状片により構成されている。
【００３３】
本実施形態のトリマー刃３０は、上下方向にスライド移動自在となるよう構成されている。トリマー刃３０は、操作手段３１の上下動に追従してスライド移動する。
【００３４】
操作手段３１は、図６に示されるように、上下方向にスライド自在となるようフレーム部１２に設けられたレバー３１０と、レバー３１０の背面からフレーム部１２内にまで突出した作動突起３１１とを備えている。
【００３５】
レバー３１０は、正面視略矩形状をしており、その前面に指を引っ掛けることができる突条部３１２が設けられている。レバー３１０は、フレーム部１２のレバー装着部２０にスライド自在に取り付けられる。
【００３６】
作動突起３１１は、フレーム部１２のレバー装着部２０に設けられた連通孔２１に挿通され、トリマー基台３０４の連結部３０５に接続される。本実施形態の作動突起３１１は、フレーム部１２の連通孔２１を介して、トリマー基台３０４の嵌合孔３０７に嵌合接続される。
【００３７】
ユーザーがレバー３１０を上方に移動させると、レバー３１０に突設された作動突起３１１が上昇し、それに追従してトリマー基台３０４部が上昇し、これによりトリマー刃３０が前進する（図２参照）。トリマー刃３０が前進端に位置している状態でユーザーがレバー３１０を下方に移動させると、レバー３１０の作動突起３１１が下降し、それに追従してトリマー基台３０４が下降し、これによりトリマー刃３０が後退する（図３参照）。トリマー刃３０が最も後退した位置（死点）では、図３のように、トリマー刃３０の先端が、フレーム部１２の端面部２２と略同レベルか、又はそれよりも低い位置になる。
【００３８】
駆動装置３２は、図１，１０に示されるように、駆動源となるモータ３２０と、モータ３２０の駆動力を当該駆動片３０６に伝達する揺動機構部３２１とを備えている。また駆動装置３２は、モータ３２０及び揺動機構部３２１を内部に収容するモータ基台部３２６をさらに備えている。
【００３９】
揺動機構部３２１は、モータ３２０の回転軸とトリマー基台３０４の駆動片３０６との間に設けられる。揺動機構部３２１は、モータ３２０の回転軸に固設される偏芯カム３２２と、略中心がモータ基台部３２６に軸支された揺動レバー３２３とを備えている。揺動レバー３２３は、偏芯カム３２２によってトリマー刃３０の長手方向と平行な方向に揺動する。揺動レバー３２３は、偏芯カム３２２に接続されるカム接続部３２４と、カム接続部３２４とは反対側に位置する作用部３２５とを有している。カム接続部３２４は、下方側及び側方の一方側が開口している。カム接続部３２４は、図１０に示されるように、トリマー刃３０の長手方向と同方向における両端部分が、偏芯カム３２２との当接部となっている。またカム接続部３２４は、当該長手方向に直角な方向（つまり上下方向）において、図１０等に示されるように、偏芯カム３２２との間に間隙を有している。言い換えると、カム接続部３２４は、偏芯カム３２２の上端に対して離間している。
【００４０】
作用部３２５は、トリマー刃３０の駆動片３０６に接続される。作用部３２５は、中心軸３２７廻りに揺動することで、トリマー刃３０の可動刃３０１を往復動させる。なお作用部３２５は、トリマー刃３０が前進端に位置する状態では、図１０のように、当該作用部３２５と二股状の駆動片３０６の股部との間に隙間を有している。これにより、ユーザーがトリマー刃３０を後退させた場合に、トリマー基台３０４が、作用部３２５に邪魔されずに下降することができるようになっている。
【００４１】
モータ基台部３２６は、ケーシング１０内に固設されたファン基台部５１に固設され、モータ３２０をケーシング１０内部に固定する。
【００４２】
モータ３２０が回転すると偏芯カム３２２が回転し、当該偏芯カム３２２が、カム接続部３２４を、トリマー刃３０の長手方向と平行な方向に押圧する。するとカム接続部３２４は中心軸３２７廻りに揺動し、それに追従して、作用部３２５が中心軸３２７廻りに揺動する。作用部３２５は、トリマー基台３０４の駆動片３０６を揺動させ、トリマー刃３０の可動刃３０１を往復動させる。これによりトリマー刃３０は、固定刃３００の長手方向に沿って可動刃３０１を往復動させる。この状態でトリマー刃３０が生体表面９に接触すると、トリマー刃３０は生体表面９から生えた毛を切断する。
【００４３】
このような構成の除毛部３には、光照射部４が隣接配置されている。
【００４４】
光照射部４は、生体表面９に光照射を行うことで生体表面９に対して抑毛効果を及ぼす機能を有している。本実施形態の光照射部４は、美容装置本体１の移動方向に対して、除毛部３の後方側に位置しており、除毛部３により除毛された直後の生体表面９に光照射を行なうことができるよう構成されている。
【００４５】
光照射部４は、図１に示されるように、上下方向に移動自在な遮光筒部４０と、この遮光筒部４０内に収容され且つ内部に発光体４４を有する光照射ユニット４２とを備えている。
【００４６】
遮光筒部４０は、発光体４４の発光時に、その上端が生体表面９に押し付けられて当該生体表面９と密着することで、発光体４４からの光が外部に漏れるのを防止する。遮光筒部４０は、フレーム部１２の光照射部装着部１４に、上下方向にスライド移動自在に装着される。本実施形態の遮光筒部４０は上方側に付勢されている。遮光筒部４０は、最も下方側に位置した時点で発光体４４を発光させるようになっている。言い換えると遮光筒部４０は、発光スイッチを兼ねる（後に詳述する）。遮光筒部４０は、図１に示されるように、角筒状に形成されている。遮光筒部４０は上下方向両端に開口を有している。遮光筒部４０は、上方側の開口が照射開口４０２となっている。遮光筒部４０の上端の開口端面は、生体当接面４０１となっている。
【００４７】
遮光筒部４０は、照射開口４０２に透明部材４１が嵌め込まれており、言い換えると照射開口４０２が透明部材４１により覆われている。本実施形態の透明部材４１は、透過率の高い透明な板材により構成されている。透明部材４１は、その上面が、遮光筒部４０の生体当接面４０１よりも凹没している。透明部材４１は、光照射ユニット４２と生体表面９との間に位置する。透明部材４１は、発光体４４からの光により高温となる光照射ユニット４２が生体表面９に接触するのを防止する。また透明部材４１は、除毛部３によりカットされた毛屑が光照射ユニット４２のレンズ４８に付着するのを防止する。
【００４８】
遮光筒部４０は、その側面に内外を貫通する通気連通口４０３が穿設されている。この通気連通口４０３は、冷却装置５としての送風ファン５０から送られた空気を外部に排出するための開口である。通気開口４３２は、図５に示されるように、遮光筒部４０がフレーム部１２に装着されると、遮光筒部４０に外力が付与されない状態（自然状態）では、フレーム部１２の端面部２２よりも上方に位置している。
【００４９】
遮光筒部４０は、図６に示されるように、光照射部装着部１４のガイド面１８のガイド溝１８１内に嵌入するガイド突起４０４が、側方に向けて複数箇所に突設されている。さらに遮光筒部４０は、光照射部装着部１４に設けられた被係合部１９に係合する係合部４０５を有している。
【００５０】
遮光筒部４０は上下方向に往復動自在となっており、下方側の死点（光進行方向に対して後方側に位置する死点）に位置した状態では、生体当接面４０１が、前進端に位置するトリマー刃３０の先端に対し、略同一平面上に位置するようになっている（図１３参照）。
【００５１】
光照射ユニット４２は、図９に示されるように、ケース部４３内に各種部品が内蔵されており、一つのユニットを構成する。光照射部４は、発光体収容部材４３０と底面部材４３１とからなるケース部４３と、このケース部４３内に収容され且つ光源となる発光体４４とを備えている。また光照射部４は、発光体４４から発光された光を生体表面９側へ反射・集光するリフレクター４５と、発光体４４及びリフレクター４５を保持する光源基台部４６とをさらに備えている。さらに光照射部４は、リフレクター４５と光源基台部４６との間に、発光体４４やリフレクター４５を弾性的に保持する弾性部材４７が設けられている。
【００５２】
発光体収容部材４３０は、上下方向に開口する角筒状をした角筒状体により構成されている。発光体収容部材４３０の上方側の開口は、発光体４４からの光を通す照射窓４３３となっている。この照射窓４３３は、長矩形状に形成されている。照射窓４３３は、その開口を塞ぐようにして透明なレンズ４８が設けられている。本実施形態のレンズ４８は、発光体４４から照射される光のうち、紫外線等の不要な波長をカットする光学フィルターの機能も有している。レンズ４８は、光源基台部４６の上方に装着されており、照射窓４３３の外縁の下面に当接した状態で設置されている。
【００５３】
発光体収容部材４３０は、照射窓４３３の外縁部に、ケース部４３内外を貫通する通気開口４３２が穿設されている。本実施形態の通気開口４３２は、照射窓４３３の長手方向に沿って設けられたスリット状の開口であり、後述の送風ファン５０から送られた空気をケース部４３内からケース部４３の外部へ排出する。通気開口４３２から排出された空気は、遮光筒部４０内に送られる。発光体収容部材４３０の下方開口には、底面部材４３１が設置される。
【００５４】
この底面部材４３１は、発光体収容部材４３０の下方の開口を閉塞するよう取り付けられる。底面部材４３１は、送風ファン５０から送風された空気をケース部４３内に導入する格子状の連通孔４３４を有している。この連通孔４３４は、ケース部４３内外を連通するよう貫通している。
【００５５】
発光体４４は、光照射部４の光源である。発光体４４は、直線状で且つ管球状のキセノンフラッシュランプにより構成されている。発光体４４は、その長手方向が、可動刃３０１の往復方向と略平行となるよう配置されている。発光体４４は、長手方向の両端に放電用電極４４１が設けられている。また、発光体４４にはトリガ電極４４２が設けられている。
【００５６】
光照射ユニット４２は、下方に突出する第２の端子４９を有している。第２の端子４９は、本体部１１に設けられた後述の第１の端子２５に電気的に接続される。第２の端子４９は、発光体４４の放電用電極４４１に電気的に接続される放電側端子４９１と、トリガ電極４４２に電気的に接続されるトリガ電圧側端子４９２とを備えている。なお、図中４９３は、第２の端子４９を底面部材４３１に取り付けるための取着片である。
【００５７】
発光体４４は、第１の端子２５及び第２の端子４９を介して本体部１１に接続され、これにより電源装置７０に電気的に接続される。発光体４４は、遮光筒部４０が下方側に押し込まれて死点（すなわち下死点）に至ると、照射スイッチがＯＮされて高電圧が印加される。発光体４４は、高電圧が印加されると、発光時間の極めて短いパルス光の照射を行なう。また発光体４４は、遮光筒部４０が下方側に移動して死点に位置したままの状態が保持されると、一定の間隔でパルス光を発光し続ける。
【００５８】
リフレクター４５は、断面略Ｕ字状をしており、その開口が照射窓４３３に臨むよう配置されている。リフレクター４５は、発光体４４から発せられた光を高効率で反射・集光し、照射窓４３３に向けて導光する。リフレクター４５には、屈曲した部分の奥部に発光体４４が配置される。
【００５９】
光照射ユニット４２は、図２に示されるように、フレーム部１２内の光照射部装着部１４に装着される。光照射ユニット４２は除毛部３に隣接配置されている。光照射ユニット４２は、除毛部３との間に仕切壁１６が設けられている。光照射ユニット４２は、その上面と遮光筒部４０の生体当接面４０１の裏面との間に、光軸方向における遮光筒部４０の移動代のための間隙８が形成されるよう設置される。この光照射ユニット４２はフレーム部１２に対して固定されているのに対し、光照射ユニット４２を上方から覆う遮光筒部４０は、光軸方向にスライド移動自在となっている。
【００６０】
このような構成の光照射部４の下方側には、当該光照射部４に隣接するようにして冷却装置５が設けられている。
【００６１】
冷却装置５は、光照射部４を冷却するための装置であり、送風ファン５０により構成されている。本実施形態の冷却装置５は、本体部１１の上端部に固設されており、当該本体部１１にフレーム部１２が装着されると、光照射部４に隣接する。冷却装置５は、図１に示されるように、本体部１１の上開口を覆うよう固設されるファン基台部５１と、このファン基台部５１に固設される送風ファン５０とを備えている。
【００６２】
ファン基台部５１は、図１２に示されるように、基台部本体５２と、当該基台部本体５２の上方から取り付けられる覆設部５３とを備えている。基台部本体５２は、送風ファン５０を収容した状態で覆設部５３が上方から設置される。これにより送風ファン５０は、ファン基台部５１に固定される。
【００６３】
本体部１１にフレーム部１２が装着された状態で送風ファン５０が駆動すると、当該送風ファン５０は、本体部１１の側面に設けられた給気口１１０から空気を導入する。給気口１１０から導入された空気は、送風ファン５０を経て、ケース部４３の連通孔４３４から通気開口４３２へと流通する。このとき流通する空気は、高温となった発光体４４とレンズ４８とに接触しながら流通し、熱交換を行なう。熱交換して熱を受けた空気は、通気開口４３２を介して遮光筒部４０内に流通し、遮光筒部４０の通気連通口４０３を介して外部に排出される。
【００６４】
また本体部１１には、図１１に示されるように、光照射ユニット４２の第２の端子４９に接続される第１の端子２５が設けられている。この第１の端子２５は、放電側端子４９１に接続される放電電圧印加部２５１と、トリガ電圧側端子４９２に接続されるトリガ電圧印加部２５２とを備えている。第１の端子２５は、光照射ユニット４２が設けられたヘッド部２３が本体部１１に取り付けられると、第２の端子４９に接続される。第１の端子２５は、ファン基台部５１に固定されている。第１の端子２５は、電源装置７０に電気的に接続されている。
【００６５】
第１の端子２５は、図１１に示されるように、本体部１１に設けられた凹所２６内に設けられている。凹所２６は上方に開口している。凹所２６は、ファン基台部５１に設けられている。凹所２６は、光照射ユニット４２の第２の端子４９に対応する箇所に設けられている。凹所２６には、光照射ユニット４２の下面から下方に向けて突出した第２の端子４９が挿入される。これにより、本体部１１に光照射ユニット４２が取り付けられると、光照射ユニット４２の第２の端子４９が、凹所２６内に挿入され、第１の端子２５に接続される。
【００６６】
この凹所２６には、第１の端子２５を覆う開閉シャッター２７が設けられている。開閉シャッター２７は、本体部１１からヘッド部２３が取り外されたときに、第１の端子２５を覆う。言い換えると、開閉シャッター２７は、本体部１１から光照射ユニット４２が取り外されると第１の端子２５を覆うよう構成されている。
【００６７】
開閉シャッター２７は、図１２に示されるように、凹所２６を閉塞する閉塞体２７１と、閉塞体２７１の上部に設けられた傾斜面部２７２とを備えている。傾斜面部２７２は、移動方向に対し約４５°傾斜した傾斜面により構成されている。開閉シャッター２７は、この傾斜面部２７２が上方から押圧されることで開放する。開閉シャッター２７は、傾斜面部２７２の斜面の面する方向とは反対側に、コイルバネからなる弾性体２７３が取り付けられている。これにより開閉シャッター２７は、傾斜面部２７２の斜面の向く側に常時付勢されている。
【００６８】
開閉シャッター２７には、ガイド部２７４が設けられている。ガイド部２７４は、開閉シャッター２７を凹所２６の開口縁に沿ってスライド移動させるときのガイドとなる。ガイド部２７４は、閉塞体２７１の下面で且つ閉塞体２７１の移動方向に沿って設けられている。ガイド部２７４は、移動方向とは直角な方向に離間して設けられている。
【００６９】
本実施形態の光照射型美容装置は、光照射ユニット４２の取り外しに連動して、自動的に開閉シャッター２７を閉じるシャッター閉塞機構部２８が設けられている。本実施形態のシャッター閉塞機構部２８は、ガイド部２７４と、開閉シャッター２７を常時閉塞方向に付勢する弾性体２７３とにより構成されている。シャッター閉塞機構部２８は、光照射ユニット４２の第２の端子４９が、凹所２６内に挿入された状態から同凹所２６内から引き出されると、弾性体２７３の弾性力により、開閉シャッター２７を閉じる。
【００７０】
また本実施形態の光照射型美容装置は、開閉シャッター２７を開放させるシャッター開放手段２９を備えている。シャッター開放手段２９は、光照射ユニット４２が近接すると開閉シャッター２７を開放させる。本実施形態のシャッター開放手段２９は、光照射ユニット４２から下方に突出した突出部４９０と、開閉シャッター２７に設けられた傾斜面部２７２とにより構成されている。本実施形態の突出部４９０は、第２の端子４９が兼ねている。
【００７１】
本体部１１にヘッド部２３を取り付けるべく、ヘッド部２３を本体部１１に近接させると、光照射ユニット４２の第２の端子４９が、閉塞状態の開閉シャッター２７の傾斜面部２７２に当接する。その状態でヘッド部２３を押し込むと、第２の端子４９が傾斜面部２７２を押圧し、これにより開閉シャッター２７を開放させる。その後、第２の端子４９が第１の端子２５に接続される。
【００７２】
ファン基台部５１の基台部本体５２には、図１２に示されるように、光照射部４の発光体４４を発光させるための光照射部用スイッチ５４と、除毛部３の可動刃３０１の駆動を停止させる除毛部用スイッチ５５とが設けられている。この光照射部用スイッチ５４と除毛部用スイッチ５５とは、いずれも回路基板５６上に配置されており、当該回路基板５６及びケーブル７１を介して電源装置７０に電気的に接続されている。
【００７３】
ファン基台部５１の覆設部５３には、遮光筒部４０を上方に押圧する一対の押圧片５７が設けられている。この押圧片５７は、遮光筒部４０の押圧突起４０６の下端に当接する当接部５７０と、当接部５７０が下方に押し下げられることで光照射部用スイッチ５４を押し下げるスイッチ押圧部５７１と、上方側への抜け止めとなる係止爪５７２とを備えている。押圧片５７は、コイルばね５７３により上方側に向けて付勢されている。
【００７４】
遮光筒部４０が下方に移動すると、遮光筒部４０の押圧突起４０６は、付勢力に抗しながら押圧片５７を押下する。さらに遮光筒部４０が押し下げられ、死点にまで到達すると、押圧片５７のスイッチ押圧部５７１が光照射部用スイッチ５４をＯＮさせる。すると発光体４４の放電用電極４４１に高電圧が印加されると共にトリガ電極４４２に高電圧が印加される。これにより発光体４４はパルス状の光を発光する。また遮光筒部４０は、押圧片５７の付勢力により、上方側へ付勢されているため、生体当接面４０１に生体表面９が当接していない自然状態では、光進行方向前方側（上方側）の死点に位置する。
【００７５】
さらにファン基台部５１の覆設部５３には、除毛部用スイッチ５５を押下する除毛部押圧片５８が設けられている。この除毛部押圧片５８は、トリマー基台３０４の下端部に押下されることで、除毛部用スイッチ５５を押下する。除毛部押圧片５８は、押圧片５７と同様、コイルばね５７３により上方側に向けて付勢されている。
【００７６】
ユーザーがレバー３１０を下方にスライドさせ、トリマー刃３０を後退させると、トリマー基台３０４は、付勢力に抗しながら除毛部押圧片５８を押し下げる。レバー３１０が最も下方に位置すると、除毛部押圧片５８が除毛部用スイッチ５５を押下し、除毛部３の駆動装置３２を停止させる。
【００７７】
本実施形態の光照射型美容装置は、光照射ユニット４２が本体部１１から取り外されたときに第１の端子２５を覆う開閉シャッター２７を備えているため、電源装置７０に接続された第１の端子２５がむき出しにならない。このため、この第１の端子２５に異物が入り込んでしまったり、ユーザーが不意に触れてしまったりといったことを防ぐことができる。
【００７８】
しかも本実施形態の光照射型美容装置は、光照射ユニット４２が近接すると開閉シャッター２７を開放させるシャッター開放手段２９を備えている。このため、本体部１１に光照射ユニット４２を取り付けるに当たり、自動的に開閉シャッター２７が開放されるため、ユーザーは開閉シャッター２７が閉じられた状態のまま誤って光照射ユニット４２を取り付けてしまうのを防ぐことができる。
【００７９】
また、本実施形態の光照射型美容装置は、凹所２６内に突出部４９０が挿入されると開閉シャッター２７が開放するものであるため、誤作動で開閉シャッター２７が開放しにくい構造とすることができる。
【００８０】
また本実施形態の光照射型美容装置は、突出部４９０が第２の端子４９により構成されているため、形状が簡略化された構造とすることができる。
【００８１】
また本実施形態の光照射型美容装置は、光照射ユニット４２が本体部１１から取り外されると開閉シャッター２７を閉じるシャッター閉塞機構部２８を備えている。このため、ユーザーが開閉シャッター２７を閉じるのを忘れることを防ぐことができる。
【００８２】
また本実施形態の光照射型美容装置は、開閉シャッター２７が弾性体２７３により常時閉塞側に付勢されているため、簡単な構造で開閉シャッター２７を自動で閉じる構造とすることができる。
【００８３】
また本実施形態の光照射型美容装置は、除毛部３が、上下方向に前進後退自在に設けられ且つ可動刃３０１及び固定刃３００を有するトリマー刃３０と、前記トリマー刃３０を前進後退させる操作手段３１とを備えている。このためユーザーは、除毛部３を使用しない場合、トリマー刃３０を後退させて、光照射部４のみを使用することができる。これにより、毛が生えていない生体表面９に対しても、トリマー刃３０を押し当てずに光照射を行なうことができる。
【００８４】
また本実施形態の光照射型美容装置は、死点に位置する光照射部４の前端と、前進端に位置するトリマー刃３０の前端とが略同一平面状に位置するよう構成されている。このため、腕や足などといった生体表面９の面積が広い部分に対して、肌当たりをよくすることができる。しかもユーザーは、除毛しながらの光照射を簡単に行ないやすく、使い勝手が向上する。
【００８５】
なお、本実施形態の光照射部４は、発光体４４にキセノンフラッシュランプが用いられていたが、本発明の光照射部はこのものに限定されない。
【００８６】
本実施形態の光照型美容射装置は、光軸方向を上下方向として説明したが、本発明においては、上下方向が限定されるものではない。
【００８７】
また、本実施形態の光照射型美容装置は、突出部４９０として、第２の端子４９が兼用されていたが、本発明の突出部は、第２の端子とは別に設けられていてもよい。
【００８８】
また、本実施形態の光照射型美容装置は、シャッター開放手段２９として、機械的な機構が用いられていたが、本発明のシャッター開放手段として、センサー類を用い、制御装置により開閉制御をするものであってもよい。
【符号の説明】
【００８９】
１      美容装置本体
１０    ケーシング
１１    本体部
１２    フレーム部
１４    光照射部装着部
１５    除毛部装着部
２３    ヘッド部
２４    本体ケーシング
２５    第１の端子
２６    凹所
２７    開閉シャッター
２７３  弾性体
２７４  ガイド部
２８    シャッター閉塞機構部
２９    シャッター開放手段
３      除毛部
３０    トリマー刃
３２    駆動装置
４      光照射部
４０    遮光筒部
４２    光照射ユニット
４４    発光体
４８    レンズ
４９    第２の端子
４９０  突出部
７０    電源装置
９      生体表面
【図１】
2013111390.tif 000003
【図２】
2013111390.tif 000004
【図３】
2013111390.tif 000005
【図４】
2013111390.tif 000006
【図５】
2013111390.tif 000007
【図６】
2013111390.tif 000008
【図７】
2013111390.tif 000009
【図８】
2013111390.tif 000010
【図９】
2013111390.tif 000011
【図１０】
2013111390.tif 000012
【図１１】
2013111390.tif 000013
【図１２】
2013111390.tif 000014
【図１３】
2013111390.tif 000015